(57)【特許請求の範囲】
【請求項１】
読取手段及び記録手段を有し、倍率及び用紙を自動または手動で設定可能な画像読取記録装置において、少なくとも倍率及び用紙の設定が可能な操作手段と、前記操作手段で倍率を手動設定から自動設定に変更する操作が行われた場合に用紙の設定を手動設定から自動設定に変更する制御手段を有することを特徴とする画像読取記録装置。
【請求項２】
前記制御手段は、前記用紙の設定を手動設定から自動設定に変更する際に用紙設定の変更を示すメッセージを出力することを特徴とする請求項１に記載の画像読取記録装置。
【発明の詳細な説明】
【０００１】
【発明の属する技術分野】
本発明は、読取手段及び記録手段を有し、倍率及び用紙を自動または手動で設定可能な画像読取記録装置に関するものである。
【０００２】
【従来の技術】
読取装置で読み取った画像を記録装置で記録する画像読取記録装置においては、等倍の画像を記録するほか、画像を拡大あるいは縮小して記録する機能が備えられている。画像を拡大あるいは縮小する際の倍率は、ユーザが任意に設定したり、あるいは原稿の大きさや画像を記録する用紙の大きさなどから自動的に設定する自動倍率選択モードの機能を利用することができる。また、記録装置において画像を記録する際に使用する用紙の大きさや向きなどを選択することができる。この用紙の選択も、ユーザが任意の用紙を設定したり、あるいは原稿の大きさや向き、倍率などから自動的に用紙を設定する自動用紙選択モードの機能を利用することができる。このような倍率や用紙の設定を行うことによって、ユーザは種々の原稿上の画像を、様々な大きさで、所望の用紙にコピーすることができる。
【０００３】
特に自動倍率選択モードの機能を利用する場合、用紙を設定すれば、原稿の大きさを自動判別して倍率を設定するので、ユーザは用紙に合わせた拡大コピーあるいは縮小コピーを簡単に行うことができる。また、自動用紙選択モードの機能を利用する場合、例えば倍率を設定するだけで、原稿の大きさと設定された倍率から最適な用紙を選択するので、ユーザは最適な用紙にコピーを行うことができる。
【０００４】
画像読取記録装置は、複数のユーザによって共用されることがある。通常、ある第１のユーザが倍率や用紙の設定を行って装置を利用した後、別の第２のユーザが同じ装置を利用する場合を考え、利用が終了してから所定時間経過すると、設定をデフォルトの状態に戻すリセット機能がある。このリセット機能によって、所定時間以上の間隔を空けてユーザが利用する場合には、各ユーザとも、前のユーザの設定にかかわらず、デフォルトの設定状態で利用することが可能である。しかしこのリセット機能によって、ユーザは自分が装置を利用するときには、常に、装置の設定状態はデフォルトの状態であると思いこんでしまう。
【０００５】
逆に第１のユーザが各種の設定を行って利用した後、所定時間経過前に第２のユーザが同じ装置を利用する場合には、第１のユーザが行った設定はそのまま残っている。しかし、上述のように第２のユーザは、設定がデフォルトの状態であると思いこんでいるので、そのまま、あるいは自分が利用したい機能のみを設定して装置を利用してしまう。そのため、第２のユーザはミスコピーをしてしまうという問題があった。
【０００６】
例えば、第１のユーザが用紙の設定を例えばＢ５に変更し、上述の自動倍率選択モードを利用してコピーを行ったとする。それから所定時間経過する前に、第２のユーザが例えば自動用紙選択モードを利用してＡ３の原稿をＡ４へ縮小してコピーしようとしたとする。自動用紙選択モードを利用する場合、上述のように倍率のみを手動で設定すればよいから、第２のユーザは倍率を手動で７０％の縮小に設定するのみでＡ３原稿のコピーを行う。この時点で第２のユーザは、用紙の設定はデフォルトの設定である自動用紙設定モードによりＡ４に設定されていると思いこんでいる。しかし、第１のユーザが行ったＢ５の用紙設定がそのままであるため、実際のコピー動作は、Ａ３原稿のうちの一部が７０％縮小されてＢ５の用紙に記録されることになる。
【０００７】
また、例えば第１のユーザがＡ４原稿をＢ４に拡大してコピーするため、用紙の設定を例えばＢ４に変更し、また倍率として１２２％の拡大に設定してコピーを行ったとする。それから所定時間経過する前に、第２のユーザが例えば自動倍率選択モードを利用してＡ３の原稿をＡ４へ縮小してコピーしようとしたとする。デフォルトの用紙の設定でＡ４の用紙が選択される場合、第２のユーザは自動倍率選択モードを設定するだけで、原稿サイズから自動的に倍率が設定される。そのため、第２のユーザは倍率を自動倍率選択モードに設定するのみでＡ３原稿のコピーを行う。しかし、第１のユーザが行ったＢ４の用紙設定がそのままであるため、実際のコピー動作は、Ａ３原稿からＢ４への縮小が行われ、Ｂ４の用紙に記録されることになる。
【０００８】
このように第１のユーザが手動で用紙の設定を行って使用した場合、所定時間内に第２のユーザが倍率の設定を変更しただけでは第１のユーザによる用紙の設定が残ってしまい、ミスコピーの原因となっていた。
【０００９】
【発明が解決しようとする課題】
本発明は、上述した事情に鑑みてなされたもので、後続のユーザによるミスコピーを低減することのできる画像読取記録装置を提供することを目的とするものである。
【００１０】
【課題を解決するための手段】
本発明は、読取手段及び記録手段を有し、倍率及び用紙を自動または手動で設定可能な画像読取記録装置において、少なくとも倍率及び用紙の設定が可能な操作手段と、前記操作手段で倍率を手動設定から自動設定に変更する操作が行われた場合に用紙の設定を手動設定から自動設定に変更する制御手段を有することを特徴とするものである。
【００１１】
これによって、第１のユーザが倍率及び用紙を手動で設定してコピーを行った後、第２のユーザがコピーを取る場合、倍率を自動設定にするだけで用紙の設定が自動設定に変更されるので、第１のユーザによる用紙設定が原因のミスコピーを低減することができる。
【００１２】
なお、用紙の手動設定を設定を手動設定から自動設定に変更する際には、用紙設定の変更を示すメッセージを出力するように構成することができる。このメッセージにより、第２のユーザは意図しない用紙を利用しようとしていたことを知ることができるとともに、用紙が変更されたことを確認してからコピーを行うことができる。
【００１３】
【発明の実施の形態】
図１は、本発明の原稿読取記録装置の実施の一形態を含むファクシミリ装置の一例を示すブロック図である。図中、１は主制御部、２は表示部、３は操作部、４は倍率選択キー、５は用紙選択キー、６は読取部、７は原稿サイズセンサ、８は記録部、９は用紙カセット、１０は用紙サイズセンサ、１１はＮＣＵ、１２はモデム、１３は画像メモリ、１４はＲＡＭ、１５はＲＯＭ、１６はバスである。
【００１４】
主制御部１は、装置全体を制御し、各部を動作させて、画像送受信機能、コピー機能などを実現する。特に、コピー機能の際には、読取部６に対して原稿上の画像を読み取らせ、記録部８に対してその画像を用紙上に記録させる。このとき、操作部３から設定される倍率に従って読み取った画像を拡大あるいは縮小し、同じく用紙設定に従って、指定された用紙に画像を記録する。倍率の設定には、ユーザが任意に倍率を設定する手動倍率選択モードと、自動的に倍率を設定する自動倍率選択モードがある。自動倍率選択モードでは、例えば読取部６の原稿サイズセンサ７で検知される原稿の大きさと、選択されている用紙のサイズから最適な倍率を自動判別して設定する。また、用紙の設定についても、ユーザが任意に用紙を設定する手動用紙選択モードと、自動的に用紙を選択する自動用紙選択モードがある。手動用紙選択モードでは、例えばいずれかの用紙カセット９に収納されている用紙を選択したり、あるいは図示しない手差しトレイに載置されている用紙を選択することができる。また、自動用紙選択モードでは、例えば読取部６の原稿サイズセンサ７で検知される原稿の大きさと、設定されている倍率から自動的に最適な用紙サイズを判別する。それとともに、各用紙カセット９や手差しトレイなどに収納されている用紙のサイズを用紙サイズセンサ１０で判別し、用紙の供給元を自動的に切り替える。
【００１５】
主制御部１ではさらに、続けて異なるユーザが利用したときのミスコピーを防止するため、前のユーザが自動倍率選択モードに設定してコピーを行った後、後のユーザが手動倍率選択モードで任意の倍率に設定したとき、手動用紙選択モードであればその設定を解除する。また、前のユーザが手動倍率選択モードで任意の倍率を設定してコピーを行った後、後のユーザが自動倍率選択モードに設定したとき、手動用紙選択モードであればその設定を解除する。いずれの場合も、手動用紙選択モードを解除した場合には、その旨のメッセージを表示部２に表示させる。また、手動用紙選択モードを解除した後は、例えば自動用紙選択モードに移行したり、あるいはデフォルトの用紙、例えば１段目の用紙カセット９に収納されている用紙を選択するように制御することができる。なお、あるユーザの利用終了後、所定時間経過後に設定をリセットする機能を有していてもよい。
【００１６】
表示部２は、使用者に対するメッセージや、装置の状態を示すメッセージ、操作ガイダンスなど、種々の情報を表示することができる。また操作部３は、使用者からの情報の入力や、装置に対する各種の指示を行う際に用いられる。表示部２と操作部３を用いることにより、各種の機能設定を行うことができる。この例では、操作部３に設けられているキーとして、倍率選択キー４と用紙選択キー５を例示している。
【００１７】
倍率選択キー４は、自動倍率選択モードの設定及び手動倍率選択モードとしていくつかの倍率の選択肢から選択的に倍率を設定することができる。あるいは、例えばテンキーなどとともに、任意の倍率を設定可能に構成されていてもよい。設定されている倍率あるいは自動倍率選択モードであることは、表示部２に表示させることができる。
【００１８】
また、用紙選択キー５は、自動用紙選択モードの設定及び手動用紙選択モードとして用紙カセット９あるいは図示しない手差しトレイなどに収納されている用紙から選択的に設定することができる。手動用紙選択モードでは、用紙サイズは用紙サイズセンサ１０によって検知されるので、各用紙カセット９や手差しトレイに収納されている用紙サイズを表示部２に表示し、その中から用紙を選択することができる。選択された用紙あるいは自動用紙選択モードであることは、表示部２に表示させることができる。
【００１９】
なお、倍率選択キー４と用紙選択キー５は、１つのキーである必要はなく、複数のキーの組み合わせであってもよい。もちろん操作部３には、これらの他、テンキーやスタートキーなど、種々のキーを有している。なお各種のキーは、それぞれのキーに機能が設定されていなくても、表示部２とともに利用することで機能の設定ができる構成でもよい。また各種のキーは、押しボタンやキーボードのように上下動するキースイッチや、回動したりスライドするスイッチ、回転するものなど機械的な選択手段に限らず、表示部２上に配置されたタッチパネルのような電気的なスイッチや、画面上に表示されている仮想的なボタンをポインティングデバイスで指示するものなど、様々な入力手法を適用することができる。
【００２０】
読取部６は、原稿上の画像を読み取る。読取部６としては、例えばイメージスキャナなどの画像入力機器で構成することができる。読取部６には、原稿のサイズを判別するための原稿サイズセンサ７を設けておくことができる。原稿サイズセンサ７の判別結果に従って、自動倍率選択モードでは自動的に倍率を設定し、また自動用紙選択モードでは自動的に使用する用紙を設定することができる。なお、等倍以外の倍率が手動倍率選択モードで設定されていたり、あるいは自動倍率選択モードで設定された場合に、その設定されている倍率に従って読取部６で変倍された画像を読み取るように構成してもよい。
【００２１】
記録部８は、コピー機能において記録する画像や、ファクシミリ受信機能を有している場合は受信した画像、その他装置からのメッセージなど、種々の情報を用紙上に記録する。記録方法としては、例えば電子写真方式やインクジェット方式など、種々の方式を採用することができる。記録部８には、例えば複数のサイズの用紙を用紙カセット９に装填することができる。用紙カセット９には、用紙サイズセンサ１０が設けられており、用紙カセット９に装填される用紙のサイズ（大きさおよび向き）を検知することができる。用紙サイズセンサ１０の判別結果に従って、自動倍率選択モードでは自動的に倍率を設定し、また自動用紙選択モードでは自動的に使用する用紙カセット９あるいは図示しない手差しトレイなど、用紙の供給元を選択することができる。記録部８は、主制御部１からの指示に従い、用紙カセット９に装填された用紙のいずれか、あるいは、図示しない手差しトレイが設けられている場合にはその手差しトレイに載置されている用紙を選択し、選択された用紙を給送して画像を記録する。図１では用紙カセット９として２段の例を示しているが、これに限らず、１段、あるいは３段以上であってもよい。
【００２２】
ＮＣＵ１１は、回線を制御して相手先の通信端末装置との通信を行う。モデム１２は、送受信する画像データの変復調を行う。画像メモリ１３は、読取部６で読み取った画像データ、記録部８で記録すべき画像データ、その他処理中の画像データなどを蓄積する。ＲＡＭ１４は、主制御部１や他の各部の処理においてデータの保存等に用いられる。ＲＯＭ１５は、主制御部１の動作を規定したプログラムや、固定的なデータなどを格納している。
【００２３】
バス１６は、主制御部１，表示部２，操作部３，読取部６，原稿サイズセンサ７，記録部８，用紙サイズセンサ１０，ＮＣＵ１１，モデム１２，画像メモリ１３，ＲＡＭ１４，ＲＯＭ１５等を互いに接続し、各部相互間のデータ転送を可能にしている。もちろん、これらのほか、外部記憶装置や、外部装置と接続するためのインタフェースなど、各種の機器がバス１６に接続されていてもよい。
【００２４】
図２は、本発明の原稿読取記録装置の実施の一形態を含むファクシミリ装置の一例においてコピー機能における倍率設定時の動作の一例を示すフローチャートである。ここでは、所定時間内に続けて複数のユーザがコピーを行う場合について示しており、図２では後から利用するユーザが手動で倍率を設定した場合について示している。
【００２５】
Ｓ２１において、後から利用するユーザが操作部３において倍率選択キー４を操作し、手動倍率選択モードで倍率を設定したとする。この場合、Ｓ２２において、現在、自動倍率選択モードになっているか否かを判定する。現時点で手動倍率選択モードであれば、ユーザによる単なる倍率の変更であると考えられるので、Ｓ２３において、用紙の設定はそのまま保持する。
【００２６】
現在の倍率の設定が自動倍率選択モードである場合には、ユーザが替わって、新たなユーザが手動倍率選択モードにより倍率を設定した可能性がある。この場合、まずＳ２４において自動倍率選択モードを解除して手動倍率選択モードに移行し、選択された倍率を設定する。それとともに手動用紙選択モードを解除し、Ｓ２５において、自動用紙選択モードに設定する。そして、Ｓ２６において、例えば「自動用紙選択モードに設定しました」といったメッセージを表示部２に表示させる。以後、通常のコピー機能における種々の設定やコピー動作を行うことになる。
【００２７】
これによって、前のユーザが手動用紙選択モードで用紙を選択していても、次のユーザが倍率の変更を行うと用紙選択の設定は解除され、自動用紙選択モードに自動的に設定される。そのため、前のユーザが設定した用紙のままコピーを実行することがなくなり、ミスコピーを低減することができる。
【００２８】
例えば、第１のユーザが用紙の設定を例えばＢ５に変更し、自動倍率選択モードを利用してコピーを行ったとする。それから所定時間経過する前に、第２のユーザが例えば自動用紙選択モードを利用してＡ３の原稿をＡ４へ縮小してコピーしようとしたとする。この場合、第２のユーザは操作部３の倍率選択キー４を用いて、手動倍率選択モードで７０％の縮小に設定する。これによって手動倍率選択モードに移行して７０％の縮小が設定されるとともに、第１のユーザが行ったＢ５の用紙設定は解除され、自動用紙選択モードが設定される。このとき、表示部２に例えば「自動用紙選択モードに設定しました」といったメッセージが表示されるので、第２のユーザは用紙の設定が自動用紙選択モードになったことを確認することができる。
【００２９】
あとは第２のユーザはＡ３の原稿を読取部６にセットして、コピーを実行させればよい。読取部６にセットされた原稿サイズが原稿サイズセンサ７によって検出され、また手動倍率選択モードで設定されている倍率（７０％縮小）から自動的にＡ４の用紙が選択され、Ａ４の用紙が収納されている用紙トレイ９あるいは手差しトレイなどからＡ４の用紙が給紙されて記録部８で画像が記録される。
【００３０】
このように、第１のユーザが手動用紙選択モードで用紙を選択していても、第２のユーザが自動倍率選択モードから手動倍率選択モードに切り替え、倍率を設定するだけで、第１のユーザによる用紙選択が解除されるので、ミスコピーを低減することができる。また、第２のユーザは、用紙の設定を自動で行いたい場合には、倍率の設定だけで済むので、操作性を向上させることができる。
【００３１】
図３は、本発明の原稿読取記録装置の実施の一形態を含むファクシミリ装置の一例においてコピー機能における倍率設定時の動作の別の例を示すフローチャートである。図２の場合と同様に、所定時間内に続けて複数のユーザがコピーを行う場合について示しており、図３では後から利用するユーザが自動倍率選択モードを設定した場合について示している。
【００３２】
Ｓ３１において、後から利用するユーザが操作部３において倍率選択キー４を操作し、自動倍率選択モードを設定したとする。この場合、現時点で自動倍率選択モードであれば設定を変更する必要がないことから、自動倍率選択モードの設定を行った場合には、現時点において手動倍率選択モードなど、自動倍率選択モード以外のモードが設定されていることになる。Ｓ３２において自動倍率選択モードを設定し、それとともにＳ３３において、手動用紙選択モードを解除して自動用紙選択モードに設定する。そして、Ｓ３４において、例えば「自動用紙選択モードに設定しました」といったメッセージを表示部２に表示させる。以後、通常のコピー機能における種々の設定やコピー動作を行うことになる。
【００３３】
これによって、前のユーザが手動用紙選択モードで用紙を選択していても、次のユーザが自動倍率選択モードを設定すると用紙選択の設定は解除され、自動用紙選択モードに自動的に設定される。そのため、前のユーザが設定した用紙のままコピーを実行することがなくなり、ミスコピーを低減することができる。
【００３４】
例えば第１のユーザがＡ４原稿をＢ４に拡大してコピーするため、用紙の設定を例えばＢ４に変更し、また倍率として１２２％の拡大に設定してコピーを行ったとする。それから所定時間経過する前に、第２のユーザが例えば自動倍率選択モードを利用してＡ４の原稿を等倍でコピーしようとしたとする。この場合、第２のユーザはまず倍率の設定として、操作部３の倍率選択キー４を用いて自動倍率選択モードに設定すればよい。これによって自動倍率選択モードが設定されるとともに、第１のユーザが行ったＢ４の用紙設定は解除され、自動用紙選択モードが設定される。このとき、表示部２に例えば「自動用紙選択モードに設定しました」といったメッセージが表示されるので、第２のユーザは用紙の設定が自動用紙選択モードになったことを確認することができる。
【００３５】
自動用紙選択モードと自動倍率選択モードが同時に設定されている場合の制御方法として、いくつかの方法がある。例えば、ユーザが設定した自動倍率選択モードを優先し、自動用紙選択モードではデフォルトの用紙サイズ、例えばＡ４サイズを選択する。あるいは、自動倍率選択モードにおけるデフォルト値として等倍が選択され、原稿サイズに従って自動用紙選択モードにより用紙が選択される。この例においてはいずれにしても、自動用紙選択モードでＡ４サイズが、自動倍率選択モードで等倍が選択されたものとする。
【００３６】
第２のユーザは、Ａ４の原稿を読取部６にセットして、コピーを実行させる。読取部６にセットされた原稿サイズが原稿サイズセンサ７によって検出され、また自動倍率選択モードにおける等倍の設定とともに、記録部８では、自動的にＡ４の用紙が選択される。そして、Ａ４の用紙が収納されている用紙トレイ９あるいは手差しトレイなどからＡ４の用紙が給紙されて、原稿の画像が等倍で記録される。
【００３７】
このように、第１のユーザが手動用紙選択モードで用紙を選択していても、第２のユーザが手動倍率選択モードから自動倍率選択モードに切り替えるだけで、第１のユーザによる用紙選択が解除されるので、ミスコピーを低減することができる。また、第２のユーザは、用紙の設定を自動で行いたい場合には、倍率の設定だけで済むので、操作性を向上させることができる。
【００３８】
図２，図３に示したように、倍率の設定の変更を伴う場合には、手動倍率選択モードと自動倍率選択モードの間の変更を行うだけで用紙の設定については自動用紙選択モードに切り替わる。これを利用し、例えば手動用紙選択モードであるサイズの用紙を設定したが、倍率の設定時に自動用紙選択モードに戻したくなった場合には、倍率の設定を一旦、手動倍率選択モードから自動倍率選択モードに変更するだけで、用紙の設定を自動用紙選択モードに変更することが可能である。
【００３９】
なお、図２，図３においては、手動用紙選択モードを解除した場合に、自動用紙選択モードを設定する例を示した。これに限らず、例えば用紙の設定としてデフォルトの用紙、例えば用紙カセット１に収納されている用紙を選択するように構成してもよい。
【００４０】
また、図１に示した例では、コピー機能を有するファクシミリ装置に本発明を適用した例を示したが、本発明はこれに限られるものではない。例えば通信機能を有しない複写装置に適用することもできる。
【００４１】
【発明の効果】
以上の説明から明らかなように、本発明によれば、複数のユーザが続けて装置を利用する場合、後のユーザが倍率の設定モードを変更することによって前のユーザが行った用紙の設定が解除されるので、所望しない用紙にコピーされる事態を回避することができ、ミスコピーを低減することができる。また、前のユーザが行った用紙の設定を解除した際に、その旨のメッセージを出力することにより、ユーザは用紙の設定が変更されたことを確認することができるという効果がある。
【図面の簡単な説明】
【図１】本発明の原稿読取記録装置の実施の一形態を含むファクシミリ装置の一例を示すブロック図である。
【図２】本発明の原稿読取記録装置の実施の一形態を含むファクシミリ装置の一例においてコピー機能における倍率設定時の動作の一例を示すフローチャートである。
【図３】本発明の原稿読取記録装置の実施の一形態を含むファクシミリ装置の一例においてコピー機能における倍率設定時の動作の別の例を示すフローチャートである。
【符号の説明】
１…主制御部、２…表示部、３…操作部、４…倍率選択キー、５…用紙選択キー、６…読取部、７…原稿サイズセンサ、８…記録部、９…用紙カセット、１０…用紙サイズセンサ、１１…ＮＣＵ、１２…モデム、１３…画像メモリ、１４…ＲＡＭ、１５…ＲＯＭ、１６…バス。
【図１】
0003904049.tif 000002
【図２】
0003904049.tif 000003
【図３】
0003904049.tif 000004